(57)【特許請求の範囲】
【請求項１】
コリメータを収容するコリメータ収容体をガンマカメラ本体に着脱するためのガンマカメラ装置におけるコリメータ収容体の着脱機構であって、
前記ガンマカメラ本体側に形成される前記コリメータ収容体との着脱面である第１着脱面には、胴部と、前記胴部の先端部に設けられ前記胴部の直径よりも大きい直径を有する頭部とから構成される２本の第１ピン部材が配設され、
前記コリメータ収容体は、ベース部材と、前記コリメータを収容するとともに、前記ベース部材が装着されるメインボディとから構成され、
前記ベース部材の一方の面には前記ガンマカメラ本体との着脱面である第２着脱面が形成され、前記ベース部材の他方の面には前記メインボディに装着するためのメインボディ装着面が形成され、
前記ベース部材の前記各第１ピン部材に対応する位置には、前記第１ピン部材の前記頭部が挿入可能な第１孔部と、前記頭部の直径よりも小さく且つ前記胴部の直径よりも大きい直径を有する第２孔部と、前記第１孔部と前記第２孔部を連結し、その幅が前記第１孔部から前記第２孔部に掛けて徐々に狭小となる連通孔とから構成される２組の挿入孔が前記第２着脱面と前記メインボディ装着面を貫通して形成され、
前記メインボディの前記各挿入孔に対応する位置には、前記挿入孔に挿入された前記頭部を前記メインボディ装着面に弾性部材により押し当てる第１押圧部材が配設され、
前記メインボディの２組の前記挿入孔を結ぶ直線を軸とした略線対称位置には、前記ガンマカメラ本体の第１着脱面を弾性部材により押圧する複数の第２押圧部材が配設されることを特徴とするガンマカメラ装置におけるコリメータ収容体の着脱機構。
【請求項２】
請求項１記載の着脱機構において、
前記第２押圧部材は、前記ベース部材に形成された第３孔部からその一部が前記第１着脱面方向に指向して前記ベース部材の外部に露出し、前記第１着脱面を前記弾性部材により押圧する第２ピン部材を備えることを特徴とするガンマカメラ装置におけるコリメータ収容体の着脱機構。
【発明の詳細な説明】
【０００１】
【発明の属する技術分野】
本発明は、コリメータを収容するコリメータ収容体をガンマカメラ本体に着脱するためのガンマカメラ装置におけるコリメータ収容体の着脱機構に関する。
【０００２】
【従来の技術】
近年、被検体に投与した放射性同位元素（ＲＩ）から得られるガンマ線を平面上に配置した検出器により検出し、検出された情報に基づいて被検体の内部情報を再構築するガンマカメラ装置が開発されている。このガンマカメラ装置では、通常、診断目的や患部の深さ等に対応して複数種類のコリメータを準備している。そして、これらのコリメータをガンマカメラ装置に選択的に装着し、撮影を行うことにより、診断目的や患部の深さ等に対応した最適な内部情報画像を得るようにしている。
【０００３】
従来、この種のコリメータは、ガンマカメラ装置にねじ止めされており、診断目的や患部の深さが変わる毎に、コリメータを交換して再度ねじ止めするという面倒な作業が行われている。このため、作業者は、コリメータ交換作業時において、多大の労力を強いられるという問題があった。
【０００４】
上記の問題を解決する技術として、特許文献１に開示された着脱機構を挙げることができる。この従来の着脱機構は、図１０に示すように、検出器側の取付面の所定箇所に複数形成された凹部１内に前記取付面よりもその一面が上方に突出する頭部２を先端に備えるボルト３と、上周縁部に曲面４を有し、該ボルト３に嵌装され且つスプリング５の弾発力により頭部２の下面を上方へと押圧するボス部６とを備える。一方、コリメータ８側の取付面には、図１１に示すように、前記各凹部１に対応した位置に前記ボルト３の頭部２が嵌入可能な穴部７と、該穴部７に連設され且つ前記ボルト３の軸部の径よりもわずかに大きな幅を有する溝穴部７ａと、該溝穴部７ａの周辺に沿ってＵ字形状に形成されるとともに、その先端部の下面に斜面７ｂを有する爪部７ｃとを配設して構成される。
【０００５】
そして、この従来の着脱機構では、コリメータ８をボルト３の頭部２が穴部７に入るように取付面上に置き、前記コリメータ８を矢印Ｘ方向（図１１参照）に沿って滑らせると、斜面７ｂの先端部が曲面４と接触し、さらに、斜面７ｂの形状変化に対応してボス部６は徐々に下方に押し下げられていく。その後、ボルト３の軸部が溝穴部７ａに進入し、該溝穴部７ａに沿って移動し、最終的には、爪部７ｃの後端部（Ｕ字形状屈曲端部）にぶつかり、コリメータ８の矢印Ｘ方向における滑りは抑制され、前記コリメータ８が検出器に取り付けられる。すなわち、この従来の着脱機構によれば、ねじ等を使用することなく、コリメータ８の取り付けを行うことができる。
【０００６】
【特許文献１】
特公平５−２７０７１号公報（第２頁左欄第１３行〜第３７行、第１図、第２図）
【０００７】
【発明が解決しようとする課題】
しかしながら、前記従来の着脱機構は、検出器側の曲面４を曲面状に加工したり、あるいは、コリメータ８側の斜面７ｂをテーパ状に加工する必要があるため、部品の加工コストが高騰するとともに、加工不良率が高まる等の製造上の問題を有している。
【０００８】
本発明は、上記の問題を解決するためになされたものであり、構成部品の加工を容易且つ低コストで行うことができ、さらに、コリメータ収容体とガンマカメラ本体の着脱を容易なものとし、且つコリメータ収容体のがたつきを防止し、ガンマカメラ本体とコリメータ収容体とを平行な状態に維持して正確な内部情報画像を得ることが可能なガンマカメラ装置におけるコリメータ収容体の着脱機構を提供することを目的とする。
【０００９】
【課題を解決するための手段】
前記の目的を達成するために、本発明は、コリメータを収容するコリメータ収容体をガンマカメラ本体に着脱するためのガンマカメラ装置におけるコリメータ収容体の着脱機構であって、
前記ガンマカメラ本体側に形成される前記コリメータ収容体との着脱面である第１着脱面には、胴部と、前記胴部の先端部に設けられ前記胴部の直径よりも大きい直径を有する頭部とから構成される２本の第１ピン部材が配設され、
前記コリメータ収容体は、ベース部材と、前記コリメータを収容するとともに、前記ベース部材が装着されるメインボディとから構成され、
前記ベース部材の一方の面には前記ガンマカメラ本体との着脱面である第２着脱面が形成され、前記ベース部材の他方の面には前記メインボディに装着するためのメインボディ装着面が形成され、
前記ベース部材の前記各第１ピン部材に対応する位置には、前記第１ピン部材の前記頭部が挿入可能な第１孔部と、前記頭部の直径よりも小さく且つ前記胴部の直径よりも大きい直径を有する第２孔部と、前記第１孔部と前記第２孔部を連結し、その幅が前記第１孔部から前記第２孔部に掛けて徐々に狭小となる連通孔とから構成される２組の挿入孔が前記第２着脱面と前記メインボディ装着面を貫通して形成され、
前記メインボディの前記各挿入孔に対応する位置には、前記挿入孔に挿入された前記頭部を前記メインボディ装着面に弾性部材により押し当てる第１押圧部材が配設され、
前記メインボディの２組の前記挿入孔を結ぶ直線を軸とした略線対称位置には、前記ガンマカメラ本体の第１着脱面を弾性部材により押圧する複数の第２押圧部材が配設されることを特徴とする。
【００１０】
以上のように構成される本発明によれば、第１ピン部材の頭部を第１孔部に挿入した後、コリメータ収容体を回転させると、第１ピン部材の胴部は連通孔を経由して第２孔部に到達し、そこでその移動が規制される。すなわち、ガンマカメラ本体に対するコリメータ収容体の取り付けを、例えば、ねじ等を使用することなく容易且つ確実に行うことができる。
【００１１】
しかも、この場合、挿入孔に挿入された第１ピン部材の頭部が第１押圧部材によりベース部材のメインボディ装着面に押し当てられるので、コリメータ収容体の逆戻りが阻止されて、ガンマカメラ本体からのコリメータ収容体の脱落が防止されるとともに、第１ピン部材が形成される直線方向におけるコリメータ収容体の上下方向のがたつきが防止される。
【００１２】
さらに、前記メインボディの前記挿入孔を結ぶ直線を軸とした略線対称位置に前記ガンマカメラ本体の第１着脱面を押圧する複数の第２押圧部材を配設したので、第１ピン部材が形成される直線方向と略直交する方向におけるコリメータ収容体の上下方向のがたつきが防止される。従って、ガンマカメラ本体とコリメータ収容体とを平行な状態に維持することができるので、結果として、正確な内部情報画像を得ることができる。
【００１３】
また、前記第１押圧部材は、前記頭部と当接する板部材と、前記板部材を前記メインボディ装着面方向に押圧する弾性部材とから構成され、一方、前記第２押圧部材は、前記ベース部材に形成された第３孔部からその一部が前記第１着脱面方向に指向して前記ベース部材の外部に露出する第２ピン部材と、前記第２ピン部材を前記第１着脱面方向に押圧する弾性部材とから構成される。
【００１４】
これらの構成部品のうち、第１押圧部材を構成する板部材および第２押圧部材を構成する第２ピン部材は、例えば、矩形状、円形状、楕円形状、あるいは、円柱状の如く簡単な形状として加工することができる。従って、テーパ状加工や曲面状加工等の複雑な加工を行う必要がないので、構成部品を容易且つ低コストに加工することができるとともに、加工不良率を低下させることができる。また、第１押圧部材および第２押圧部材を構成する弾性部材は、広汎に利用されている一般のものを採用することができるので、製造コストを低廉なものとすることができる。
【００１５】
【発明の実施の形態】
本発明に係るガンマカメラ装置におけるコリメータ収容体の着脱機構について、好適な実施の形態を挙げ、添付の図面を参照しながら以下詳細に説明する。
【００１６】
ガンマカメラ装置１０は、図１に示すように、基本的には、ガンマカメラ本体１１と、コリメータ１２を収容するコリメータ収容体１３と、ガンマカメラ本体１１とコリメータ収容体１３との間に介在し、両者を着脱するための本実施の形態の着脱機構１４とから構成される。また、ガンマカメラ装置１０は、ケーブル１５を介して、ガンマカメラ装置１０によって検出されたガンマ線に基づき、被検体内の３次元画像を再構成する画像再構成部１６と接続される。
【００１７】
ガンマカメラ本体１１は、図１に示すように、下ケーシング２０ａおよび上ケーシング２０ｂを備える。下ケーシング２０ａおよび上ケーシング２０ｂ内には、図２に示すように、ガンマ線検出器２２と、複数の信号処理基板２４と、マザーボード２６とが収容される。
【００１８】
ガンマ線検出器２２は、ガンマ線から直接的に電気信号を得ることのできるＣｄＴｅ、ＣｄＺｎＴｅ等の半導体検出素子を２次元に配列したものであり、下ケーシング２０ａの内部の一端側に配設された固定部材２８に固定されている。
【００１９】
信号処理基板２４は、図示しないコネクタ等を介してガンマ線検出器２２に接続されて、ガンマ線検出器２２からの位置に応じたカウント数のデータに対して信号処理を施す。
【００２０】
マザーボード２６は、下ケーシング２０ａの内部のガンマ線検出器２２の反対側に配設される。マザーボード２６には前記信号処理基板２４と、ガンマカメラ装置１０の動作状態を示す表示灯３２と、ケーブル１５を接続するためのコネクタ３４とが接続される。
【００２１】
下ケーシング２０ａのガンマ線検出器２２が配設される側の外端面には、コリメータ１２を収容するためのコリメータ収容体１３を着脱するべく第１着脱面４０が形成される。第１着脱面４０の周縁部の所定部位には、着脱機構１４を構成する第１ピン部材５０ａ、５０ｂが配設される。第１ピン部材５０ａ、５０ｂの形状は同一であり、図１および図２に示すように、胴部５２と、胴部５２の先端部に設けられ、胴部５２の直径よりも大きい直径を有する頭部５４とから構成される。なお、第１ピン部材５０ａ、５０ｂは、図２に示すように、第１着脱面４０上に直接形成するようにしてもよいし、あるいは、ガンマ線検出器２２と共締めして固定部材２８に固定するようにしてもよい。
【００２２】
第１着脱面４０の第１ピン部材５０ａ、５０ｂの内側には、図１に示すように、鉛やタングステン合金等からなり、ガンマ線が外部に漏洩するのを防止するための枠部材５６がコリメータ１２を囲繞する位置に対応して配設される。
【００２３】
コリメータ収容体１３は、基本的には、図３に示すように、コリメータ１２と、鉛やタングステン合金等からなるベース部材６０と、ＡＢＳ等の樹脂部材からなるメインボディ６２とから構成される。
【００２４】
ベース部材６０は、略矩状の板部材として形成される。ベース部材６０の一方の面にはガンマカメラ本体１１が着脱される第２着脱面６４が形成され、他方の面にはメインボディ６２に装着されるメインボディ装着面６５が形成される。ベース部材６０の略中央部にはコリメータ１２の大きさに対応した開口部６６が形成され、前記開口部６６の周縁部には該開口部６６を覆うカバー部材６８を嵌合保持するための段部７０が形成される。
【００２５】
ベース部材６０の第１ピン部材５０ａ、５０ｂに対応した位置には第２着脱面６４とメインボディ装着面６５を貫通して挿入孔７２ａ、７２ｂが夫々形成される。挿入孔７２ａ、７２ｂの形状は同一であり、図４に示すように、第１ピン部材５０ａ、５０ｂの頭部５４が挿入可能な第１孔部８０と、頭部５４の直径よりも小さく且つ胴部５２の直径よりも大きい直径を有する第２孔部８２と、前記第１孔部８０と第２孔部８２を連結し、その幅が第１孔部８０から第２孔部８２に掛けて徐々に狭小となる連通孔８４とを有する。
【００２６】
挿入孔７２ａは、その第２孔部８２の中心がベース部材６０の中心点Ｑを通る直線Ｌ０上になるように配置され、一方、挿入孔７２ｂは、前記直線Ｌ０を軸に挿入孔７２ａに対して１８０°反転した状態で、且つその第２孔部８２の中心が直線Ｌ０上になるように配置される。挿入孔７２ａ、７２ｂの近傍には、ベース部材６０とメインボディ６２とを固定する平ねじ８６を保持する平ねじ保持孔８８が形成される。
【００２７】
また、ベース部材６０の直線Ｌ０と平行な直線Ｌ１、Ｌ２上には、複数の第３孔部９０が設けられ、直線Ｌ０を軸に略線対称に配置される（図４参照）。前記第３孔部９０には、第２押圧部材１３２を構成する第２ピン部材１２０の小径部１２２（図３参照）が挿入され、各直線Ｌ１、Ｌ２上の中央部分に位置する第３孔部９０の近傍には、ベース部材６０とメインボディ６２とを固定する平ねじ８６を保持する平ねじ保持孔８８が形成される。
【００２８】
メインボディ６２にはベース部材６０が嵌合するベース部材嵌合部１００が形成される。ベース部材嵌合部１００の周縁部には、その頂上部がメインボディ外周部１０２よりベース部材６０の厚さ分だけ低い位置に設定される凸部１０４ａ〜１０４ｄが夫々設けられる。すなわち、ベース部材６０をベース部材嵌合部１００に嵌合させる際、ベース部材６０のメインボディ装着面６５が凸部１０４ａ〜１０４ｄの頂上部と当接することで、ベース部材６０の第２着脱面６４の高さはメインボディ外周部１０２の高さと略等しく設定される。この場合、前記凸部１０４ａ、１０４ｃの位置は、ベース部材６０に形成された挿入孔７２ａ、７２ｂの位置に夫々に対応している。
【００２９】
凸部１０４ａには、図３および図５に示すように、第１押圧部材１３０が設けられる。第１押圧部材１３０は、挿入孔７２ａよりも外形寸法が大きく、前記挿入孔７２ａをメインボディ装着面６５側から覆う長円状板部材１５０（板部材）と、前記長円状板部材１５０をメインボディ装着面６５に押圧するばね１５４（弾性部材）とから構成される。凸部１０４ａの上部側略中央部には前記長円状板部材１５０が挿入可能な長円状穴部１５２が形成され、前記長円状穴部１５２内には、ばね１５４を保持するばね保持溝１５６が形成される。
【００３０】
また、図３では記載を省略しているが、凸部１０４ｃにも前記凸部１０４ａと同様の第１押圧部材１３０が設けられる。
【００３１】
凸部１０４ｂおよび凸部１０４ｄの位置に対応するベース部材６０の位置には、図３および図６に示すように、第２押圧部材１３２が設けられる。第２押圧部材１３２は、ベース部材６０に形成された第３孔部９０に挿入される第２ピン部材１２０と、前記第２ピン部材１２０をメインボディ装着面６５に押圧するばね１５４（弾性部材）とから構成される。
【００３２】
第２ピン部材１２０は、第３孔部９０に挿入可能な小径部１２２と、小径部１２２に連設され、第３孔部９０の直径よりも大きい直径を有する大径部１２４とから構成される。小径部１２２の長さは、ベース部材６０の厚さより長く設定されている。すなわち、図６から諒解されるように、小径部１２２の先端部は第３孔部９０から前記ベース部材６０の外部に露出する。
【００３３】
凸部１０４ｂには、第２ピン部材１２０の大径部１２４が挿入可能な穴部１７０が形成され、穴部１７０には、ばね１５４の一端部を保持するばね保持溝１５６が形成される。ばね１５４の他端部は、第２ピン部材１２０の大径部１２４の下面に形成されたばね保持穴１２６に収容される。
【００３４】
なお、図３では記載を省略しているが、凸部１０４ｄおよびベース部材嵌合部１００の各角部にも凸部１０４ｂと同様に第２押圧部材１３２が設けられる。この場合、ベース部材嵌合部１００の各角部には、第２押圧部材１３２を構成するばね１５４が挿入されるばね保持溝１５６が形成される。
【００３５】
また、凸部１０４ａ、１０４ｃの長円状穴部１５２および凸部１０４ｂ、１０４ｄの穴部１７０の近傍には平ねじ８６が螺合する平ねじ螺合溝１５８が設けられる。
【００３６】
メインボディ６２の略中央部には、コリメータ１２を収容保持するコリメータ収容穴１０６が形成される。
【００３７】
本実施の形態の着脱機構１４を含むガンマカメラ装置１０は、基本的には以上のように構成されるものであり、次に、コリメータ収容体１３の組立手順について説明する。
【００３８】
先ず、メインボディ６２のコリメータ収容穴１０６にコリメータ１２を挿入し、固定する。次いで、各ばね保持溝１５６にばね１５４の下端部を挿入する。凸部１０４ａ、１０４ｃに形成されたばね保持溝１５６に挿入されたばね１５４の上端部に長円状板部材１５０を載置する。その際、長円状穴部１５２の位置と合わせた状態とする。
【００３９】
凸部１０４ｂ、１０４ｄに形成されたばね保持溝１５６およびベース部材嵌合部１００の各角部に形成されたばね保持溝１５６に挿入されたばね１５４の上端部に第２ピン部材１２０を夫々載置する。この場合、ばね１５４の上端部は第２ピン部材１２０の大径部１２４の下面に形成されたばね保持穴１２６に挿入される（図６参照）。次いで、長円状板部材１５０と挿入孔７２ａ、７２ｂとの位置を合わせるとともに、各第２ピン部材１２０の小径部１２２を夫々第３孔部９０に挿入した状態で、ベース部材６０をメインボディ６２のベース部材嵌合部１００に嵌合し、平ねじ８６（４箇所）で固定する。次いで、開口部６６の周縁部に形成された段部７０にカバー部材６８を嵌合し、固定する。
【００４０】
次に、着脱機構１４を用いて、ガンマカメラ本体１１にコリメータ収容体１３を着脱する方法について説明する。
【００４１】
コリメータ収容体１３をガンマカメラ本体１１に取り付ける場合、先ず、図４に示す挿入孔７２ａ、７２ｂの各第１孔部８０と、図１に示すガンマカメラ本体１１の第１ピン部材５０ａ、５０ｂの各頭部５４との位置が合うようにコリメータ収容体１３をガンマカメラ本体１１の第１着脱面４０上に置く。
【００４２】
次いで、コリメータ収容体１３を第１着脱面４０方向に押して、第１ピン部材５０ａ、５０ｂの各頭部５４をコリメータ収容体１３の挿入孔７２ａ、７２ｂの各第１孔部８０に挿入し（図７の位置Ａ）、コリメータ収容体１３を第１孔部８０から第２孔部８２方向に回転させる（図７において、位置Ａ→位置Ｂ→位置Ｃの移動）。第１ピン部材５０ａ、５０ｂの各胴部５２は、第１孔部８０から連通孔８４を経由して（図７の位置Ｂ）、最終的には、第２孔部８２に到達し、そこでその動きが規制されて停止する（図７の位置Ｃ）。この際、連通孔８４の幅および第２孔部８２の直径は、頭部５４の直径よりも小さく設定されているので、コリメータ収容体１３がガンマカメラ本体１１から脱落するのを防止することができる。
【００４３】
さらに、第１押圧部材１３０により、挿入孔７２ａ、７２ｂに挿入された第１ピン部材５０ａ、５０ｂの各頭部５４がメインボディ装着面６５に押し当てられるので（図８参照）、コリメータ収容体１３の逆戻りが防止されるとともに、図４に示す直線Ｌ０方向におけるコリメータ収容体１３の上下方向のがたつきが防止される。
【００４４】
一方、図４に示すように、コリメータ収容体１３のベース部材６０の第２着脱面６４において、直線Ｌ０を軸に略線対称に配置される複数の第２押圧部材１３２が、図９に示すように、ガンマカメラ本体１１の第１着脱面４０を均等に押圧するので、直線Ｌ０方向と略直交する方向におけるコリメータ収容体１３の上下方向のがたつきが防止される。結果として、ガンマカメラ本体１１とコリメータ収容体１３とを平行な状態に維持することができる。
【００４５】
コリメータ収容体１３をガンマカメラ本体１１から取り外す場合には、前述した取り付け手順とは逆に、コリメータ収容体１３を第２孔部８２から第１孔部８０方向に向けて逆回転させる（図７において、位置Ｃ→位置Ｂ→位置Ａの移動）。第１ピン部材５０ａ、５０ｂの各胴部５２は、第２孔部８２から連通孔８４を経由して第１孔部８０に到達する。前述したとおり、第１孔部８０は頭部５４が挿入可能な寸法に設定されているため、この状態で、ガンマカメラ本体１１からコリメータ収容体１３を取り外すことができる。
【００４６】
【発明の効果】
以上のように、本発明によれば、第１ピン部材の頭部を第１孔部に挿入した後、コリメータ収容体を回転させると、第１ピン部材の胴部は連通孔を経由して第２孔部に到達し、そこでその移動が規制される。すなわち、ガンマカメラ本体に対するコリメータ収容体の取り付けを、例えば、ねじ等を使用することなく容易且つ確実に行うことができる。
【００４７】
しかも、この場合、挿入孔に挿入された第１ピン部材の頭部が第１押圧部材によりベース部材のメインボディ装着面に押し当てられるので、コリメータ収容体の逆戻りが阻止されて、ガンマカメラ本体からのコリメータ収容体の脱落が防止されるとともに、各第１ピン部材を結ぶ直線方向におけるコリメータ収容体の上下方向のがたつきが防止される。
【００４８】
さらに、前記メインボディの前記挿入孔を結ぶ直線を軸とした略線対称位置に前記ガンマカメラ本体の第１着脱面を押圧する複数の第２押圧部材を配設したので、第１ピン部材が形成される直線方向と略直交する方向におけるコリメータ収容体の上下方向のがたつきが防止される。従って、ガンマカメラ本体とコリメータ収容体とを平行な状態に維持することができるので、結果として、正確な内部情報画像を得ることが可能となる。
【００４９】
さらに、第１押圧部材を構成する板部材および第２押圧部材を構成する第２ピン部材等は、例えば、矩形状、円形状、楕円形状、あるいは、円柱状の如く簡単な形状として加工することができる。従って、テーパ状加工や曲面状加工等の複雑な加工を行う必要がないので、構成部品を容易且つ低コストに加工することができるとともに、加工不良率を低下させることができる。また、第１押圧部材および第２押圧部材を構成する弾性部材は、広汎に利用されている一般のものを採用することができるので、製造コストを低廉なものとすることができる。
【図面の簡単な説明】
【図１】本実施の形態の着脱機構を含むガンマカメラ装置の構成を説明する分解斜視図である。
【図２】上ケーシングを外した状態のガンマカメラ本体の要部平面図である。
【図３】コリメータ収容体の分解斜視図である。
【図４】図３に示すベース部材の平面図である。
【図５】第１押圧部材の構成を説明する凸部の一部省略縦断面図である。
【図６】第２押圧部材の構成を説明する凸部の一部省略縦断面図である。
【図７】第１ピン部材と挿入孔の位置関係を説明する平面図である。
【図８】第１押圧部材の動作を説明する凸部の一部省略縦断面図である。
【図９】第２押圧部材の動作を説明する凸部の一部省略縦断面図である。
【図１０】従来技術に係る着脱機構の検出器側の構成を説明する要部断面図である。
【図１１】従来技術に係る着脱機構のコリメータ側の構成を説明する平面図である。
【符号の説明】
１０…ガンマカメラ装置            １１…ガンマカメラ本体
１２…コリメータ                  １３…コリメータ収容体
１４…着脱機構                    ２２…ガンマ線検出器
４０…第１着脱面                  ５０ａ、５０ｂ…第１ピン部材
５２…胴部                        ５４…頭部
６０…ベース部材                  ６２…メインボディ
６４…第２着脱面                  ６５…メインボディ着脱面
７２ａ、７２ｂ…挿入孔            ８０…第１孔部
８２…第２孔部                    ８４…連通孔
９０…第３孔部                    １００…ベース部材嵌合部
１０４ａ〜１０４ｄ…凸部          １２０…第２ピン部材
１２２…小径部                    １２４…大径部
１３０…第１押圧部材              １３２…第２押圧部材
１５０…長円状板部材              １５４…ばね
【図１】
0003721356.tif 000002
【図２】
0003721356.tif 000003
【図３】
0003721356.tif 000004
【図４】
0003721356.tif 000005
【図５】
0003721356.tif 000006
【図６】
0003721356.tif 000007
【図７】
0003721356.tif 000008
【図８】
0003721356.tif 000009
【図９】
0003721356.tif 000010
【図１０】
0003721356.tif 000011
【図１１】
0003721356.tif 000012